(57)【要約】  【課題】  通勤定期などの非接触式ＩＣカードを搭載することができ、定期入れを不要とし、通勤時に定期入れを探すわずらわしさを解消でき、ＩＣカードの情報が読み取られることを防止することができるＩＣカードを収納可能な携帯機器を提供する。【解決手段】  機器本体１ａの表面に防磁気ケース２が設けられ、防磁気ケース内に非接触式ＩＣカードＨを載置したトレー３が出し入れ可能に収納され、防磁気ケース内にトレーを外側に出す方向に付勢するばね４が配置され、トレーの側縁に係止用溝３ａが形成され、防磁気ケースの側部にトレーが防磁気ケース内に位置するときにトレーの係止用溝に係入係止する係止片５ｂが設けられると共に防磁気ケースに形成された孔部２ａから突出する押しボタン５ａを有する操作部材５がピン６で枢着され、操作部材の先端には係止片がトレーの係止用溝に係止片が係入する方向に付勢する弾性片５ｃが設けられている。【選択図】  図１
2008177926.tif 000002
【特許請求の範囲】
【請求項１】
非接触式ＩＣカードを携帯機器に収納するようにしたＩＣカードを収納可能な携帯機器であって、前記携帯機器の機器本体の表面に防磁気ケースが設けられ、この防磁気ケース内に前記非接触式ＩＣカードを載置したトレーが出し入れ可能に収納されるように構成され、前記防磁気ケース内に前記トレーを外側に出す方向に付勢するばねが配置され、前記トレーの側縁に係止用溝が形成され、前記防磁気ケースの側部に、前記トレーが前記防磁気ケース内に位置するときに前記トレーの係止用溝に係入係止する係止片が設けられると共に前記防磁気ケースに形成された孔部から突出する押しボタンを有する操作部材がピンで枢着されており、前記操作部材の先端には、前記係止片が前記トレーの係止用溝に前記係止片が係入する方向に付勢する弾性片が設けられ、前記トレーが前記防磁気ケース内に収納された際に前記操作部材の係止片が前記弾性片の付勢力で前記トレーの係止用溝に係入係止して前記トレーが前記防磁気ケース内に収納された状態を保持され、前記操作部材の押しボタンを押した際に前記係止片が前記係止用溝から離脱して前記トレーが前記ばねの付勢力で前記防磁気ケースより外側に突出され、この状態で前記トレーから前記非接触式ＩＣカードが取り出し可能になるように構成したことを特徴とするＩＣカードを収納可能な携帯機器。
【請求項２】
非接触式ＩＣカードを携帯機器に収納するようにしたＩＣカードを収納可能な携帯機器であって、前記携帯機器の機器本体の表面に防磁気ケースが設けられ、この防磁気ケース内に前記非接触式ＩＣカードを載置したトレーが出し入れ可能に収納されるように構成したことを特徴とするＩＣカードを収納可能な携帯機器。
【請求項３】
前記防磁気ケース内に前記トレーを外側に出す方向に付勢するばねが配置され、前記トレーには係止孔が形成され、前記機器本体における前記防磁気ケースの近傍に孔部が形成されると共に前記機器本体の側部の内側に受け片が内側に向けて突出形成され、前記機器本体内に前記トレーの係止孔に係入可能な係止片を有する共に前記機器本体の孔部から外側に突出する押しボタンを有する略Ｕ字形の操作部材が配置され、この操作部材と前記機器本体の受け片との間に前記操作部材を前記防磁気ケース側に向けて付勢するスプリングが配置されており、前記トレーが前記防磁気ケース内に収納されているときに、前記スプリングの付勢力によって前記操作部材の係止片が前記トレーの係止孔に係入されて前記トレーが前記防磁気ケース内に収納された状態が保持され、前記操作部材の押しボタンを押すことによって、前記操作部材が前記スプリングの付勢力に抗して前記受け片側に移動して前記操作部材の係止片が前記トレーの係止孔から離脱し、前記トレーが前記ばねの付勢力によって前記防磁気ケースより外側に突出されるように構成した請求項２に記載のＩＣカードを収納可能な携帯機器。
【発明の詳細な説明】
【技術分野】
【０００１】
本発明は、非接触式ＩＣカードを携帯機器に収納するようにしたＩＣカードを収納可能な携帯機器に関するものである。
【背景技術】
【０００２】
従来、通勤定期等の非接触式ＩＣカードは、定期入れに入れて持ち運んでいたが、通勤時に定期入れを探すわずらわしさがあるという問題があった。
【０００３】
第１の従来技術を図６、図７に示す。この従来の携帯端末は、図６、図７に示すように、スライドする２つの筐体１１２、１１４において、収納状態では隠れ、伸長状態では現れる開口部１３６にＩＣカード１３４を挿入し、ＩＣカード１３４が不安定な接続状態では収納状態にスライドするときに蓋部１３７に形成されたフラット部１３２がＩＣカード１３４を押し込む構造を有している。カメラやＧＰＳを搭載する異形状ＩＣカードを装着する場合は、蓋部１３７が干渉しないように、その一部が待避するようにしてもよい。（例えば、特許文献１参照）。
【０００４】
ところが、このＩＣカード１３４は、携帯電話に使用され、メールアドレスや電話番号する接触式ＩＣカードであり、この接触式ＩＣカードは他人に読み取られる可能性があるという問題があった。また、このＩＣカード１３４は防磁気ケースに収納されるものではなかった。
【特許文献１】特開２００４−２９７３３７号公報
【発明の開示】
【発明が解決しようとする課題】
【０００５】
本発明は、上記従来の問題に鑑みてなされたものであって、通勤定期などの非接触式ＩＣカードを搭載することができ、定期入れを不要にすることにより、通勤時に定期入れを探すわずらわしさを解消することができ、且つＩＣカードの情報が読み取られることを防止することができるＩＣカードを収納可能な携帯機器を提供することを目的としている。
【課題を解決するための手段】
【０００６】
本発明は、上記課題を解決するために提案されたものであって、請求項１に記載の発明は、非接触式ＩＣカードを携帯機器に収納するようにしたＩＣカードを収納可能な携帯機器であって、前記携帯機器の機器本体の表面に防磁気ケースが設けられ、この防磁気ケース内に前記非接触式ＩＣカードを載置したトレーが出し入れ可能に収納されるように構成され、前記防磁気ケース内に前記トレーを外側に出す方向に付勢するばねが配置され、前記トレーの側縁に係止用溝が形成され、前記防磁気ケースの側部に、前記トレーが前記防磁気ケース内に位置するときに前記トレーの係止用溝に係入係止する係止片が設けられると共に前記防磁気ケースに形成された孔部から突出する押しボタンを有する操作部材がピンで枢着されており、前記操作部材の先端には、前記係止片が前記トレーの係止用溝に前記係止片が係入する方向に付勢する弾性片が設けられ、前記トレーが前記防磁気ケース内に収納された際に前記操作部材の係止片が前記弾性片の付勢力で前記トレーの係止用溝に係入係止して前記トレーが前記防磁気ケース内に収納された状態を保持され、前記操作部材の押しボタンを押した際に前記係止片が前記係止用溝から離脱して前記トレーが前記ばねの付勢力で前記防磁気ケースより外側に突出され、この状態で前記トレーから前記非接触式ＩＣカードが取り出し可能になるように構成したことを特徴としている。
【０００７】
請求項２に記載の発明は、非接触式ＩＣカードを携帯機器に収納するようにしたＩＣカードを収納可能な携帯機器であって、前記携帯機器の機器本体の表面に防磁気ケースが設けられ、この防磁気ケース内に前記非接触式ＩＣカードを載置したトレーが出し入れ可能に収納されるように構成したことを特徴としている。
【０００８】
請求項３に記載の発明は、請求項２に記載の発明において、前記防磁気ケース内に前記トレーを外側に出す方向に付勢するばねが配置され、前記トレーには係止孔が形成され、前記機器本体における前記防磁気ケースの近傍に孔部が形成されると共に前記機器本体の側部の内側に受け片が内側に向けて突出形成され、前記機器本体内に前記トレーの係止孔に係入可能な係止片を有する共に前記機器本体の孔部から外側に突出する押しボタンを有する略Ｕ字形の操作部材が配置され、この操作部材と前記機器本体の受け片との間に前記操作部材を前記防磁気ケース側に向けて付勢するスプリングが配置されており、前記トレーが前記防磁気ケース内に収納されているときに、前記スプリングの付勢力によって前記操作部材の係止片が前記トレーの係止孔に係入されて前記トレーが前記防磁気ケース内に収納された状態が保持され、前記操作部材の押しボタンを押すことによって、前記操作部材が前記スプリングの付勢力に抗して前記受け片側に移動して前記操作部材の係止片が前記トレーの係止孔から離脱し、前記トレーが前記ばねの付勢力によって前記防磁気ケースより外側に突出されるように構成した。
【発明の効果】
【０００９】
請求項１に記載の発明によれば、機器本体に設けられた防磁気ケース内に非接触式ＩＣカードを載置したトレーを出し入れ可能に収納するようにしたから、通勤定期などの非接触式カードを定期入れに入れる必要がなく、定期入れを不要にすることができて通勤時に定期入れを探すわずらわしさを解消することができる。また、非接触式ＩＣカードがトレーに載置された状態でこのトレーを防磁気ケース内に収納するから、この非接触式ＩＣカードの情報が読み取られることを防ぐことができる。更に、防磁気ケース内にトレーが収納された状態では、トレーの係止用溝に操作部材の係止片が係入されているから、トレーが不用意に外側に突出することを防ぐことができる。また、防磁気ケースの孔部から突出する押しボタンを押すことによって、トレーの係止用溝から操作部材の係止片を離脱し、防磁気ケース内に配置されたばねの付勢力によってトレーを防磁気ケースの外側に突出させることができ、トレーに載置された非接触式ＩＣカードを容易に取り出して使用することができる。更に、操作部材は係止片と押しボタンと弾性片とから構成されていて、トレーには操作部材の係止片が係入される係止用溝が形成されているだけであるから、構造が簡単である。しかも、操作部材の係止片がトレーの係止用溝に係入した状態を操作部材の弾性片の弾性によって保持することができる。
【００１０】
請求項２に記載の発明によれば、機器本体に設けられた防磁気ケース内に非接触式ＩＣカードを載置したトレーを出し入れ可能に収納するようにしたから、通勤定期などの非接触式カードを定期入れに入れる必要がなく、定期入れを不要にすることができて通勤時に定期入れを探すわずらわしさを解消することができる。また、非接触式ＩＣカードがトレーに載置した状態でこのトレーを防磁気ケース内に収納するから、この非接触式ＩＣカードの情報が読み取られることを防ぐことができる。
【００１１】
請求項３に記載の発明によれば、非接触式ＩＣカードが載置されたトレーを防磁気ケース内に収納する状態を保持する構造として、トレーの係止孔とこの係止孔にスプリングの付勢力で係入される操作部材の係止片とで構成したから、構造が簡単であり、しかも防磁気ケースからトレーが不用意に外側に突出することを防ぐことができる。また、操作部材の押しボタンを押すだけで、トレーの係止孔から操作部材の係止片を離脱してトレーを外側に突出させることができ、トレーに載置された非接触式ＩＣカードを取り出して使用できるから、その操作を簡単に行うことができる。
【発明を実施するための最良の形態】
【００１２】
以下、本発明に係るＩＣカードを収納可能な携帯機器の実施の携帯について、図を参照しつつ説明する。尚、以下の実施形態では、携帯機器として携帯電話について説明するが、本発明はこれに限らず、携帯用の小型テレビ等の他の携帯機器にも適用できるものである。
【００１３】
図１は本発明の第１実施形態のＩＣカードを収納可能な携帯機器としての携帯電話を示し、（ａ）はその非接触式ＩＣカードをトレーに載置して防磁気ケースから引き出した状態の斜視図、（ｂ）はそのトレーが防磁気ケース内に収納されている状態の要部の内部構造を示す横断面図、（ｃ）はそのトレーが防磁気ケースから外部に突出される状態の要部の内部構造を示す横断面図、図２は携帯電話に設けられた防磁気ケース内に非接触式ＩＣカードが載置されたトレーを収納した状態の斜視図である。
【００１４】
この第１実施形態のＩＣカードを収納可能な携帯機器は、図１（ａ）に示すように、携帯電話１の機器本体１ａの表面に防磁気ケース２が設けられ、この防磁気ケース２内にトレー３が出し入れ可能に収納され、このトレー３には通勤定期等の非接触式ＩＣカードＨが載置されている。図１（ｂ）（ｃ）に示すように、防磁気ケース２内には、トレー３を外部に向けて付勢するばね４が奥側に配置されている。更に、トレー３の側縁には係止用溝３ａが形成され、防磁気ケース２の側部に、操作部材５の押しボタン５ａが挿入されて突出した孔部２ａが形成されている。操作部材５は、押しボタン５ａとトレー３の係止用溝３ａに係入係止する係止片５ｂと先端の弾性片５ｃとから構成され、ピン６によって回動可能に防磁気ケース２に枢着されている。弾性片５ｃは防磁気ケース２の側壁の内部に圧接されており、この弾性片５ｃの付勢力によって係止片５ｂがトレー３の係止用溝３ａに係入係止されるようになっている。ピン６は操作部材５の押しボタン５ａと係止片５ｂとの間に挿入され、押しボタン５ａを押すと係止片５ｂがトレー３の係止用溝３ａから離脱する方向に移動するように構成されている。
【００１５】
図１（ｂ）、図２に示すように、トレー３が防磁気ケース２内に収納された際に、操作部材５の係止片５ｂが弾性片５ｃの付勢力でトレー３の係止用溝３ａに係入係止してトレー３が防磁気ケース２内に収納された状態が保持される。操作部材５の押しボタン５ａを押すと図１（ｃ）に示すように、弾性片５ｃの付勢力に抗してピン６を支点にして係止片５ｂがトレー３の係止用溝３ａから離脱するように移動し、トレー３がばね４の付勢力で外側に突出し、図１（ａ）に示す状態でトレー３から非接触式ＩＣカードＨが取り出し可能な状態となる。
【００１６】
従って、この第１実施形態によれば、携帯電話１の機器本体１ａに設けられた防磁気ケース２内に非接触式ＩＣカードＨを載置したトレー３を出し入れ可能に収納するようにしたから、通勤定期などの非接触式カードＨを定期入れに入れる必要がなく、定期入れを不要にすることができて通勤時に定期入れを探すわずらわしさを解消することができる。また、非接触式ＩＣカードＨがトレー３に載置された状態でこのトレー３を防磁気ケース２内に収納するから、この非接触式ＩＣカードＨの情報が読み取られることを防ぐことができる。更に、防磁気ケース２内にトレー３が収納された状態では、トレー３の係止用溝３ａに操作部材５の係止片５ｂが係入されているから、トレー３が不用意に外側に突出することを防ぐことができる。また、防磁気ケース２の孔部２ａから突出する押しボタン５ａを押すことによって、トレー３の係止用溝３ａから操作部材５の係止片５ｂを離脱し、防磁気ケース２内に配置されたばね４の付勢力によってトレー３を防磁気ケース２の外側に突出させることができ、トレー３に載置された非接触式ＩＣカードＨを容易に取り出して使用することができる。更に、操作部材５は係止片５ｂと押しボタン５ａと弾性片５ｃとから構成されていて、トレー３には操作部材５の係止片５ｂが係入される係止用溝３ａが形成されているだけであるから、構造が簡単である。しかも、操作部材５の係止片５ｂがトレー３の係止用溝３ａに係入した状態を操作部材５の弾性片５ｃの弾性によって保持することができる。
【００１７】
図３は第２実施形態のＩＣカードを収納可能な携帯機器としての携帯電話を示し、非接触式ＩＣカードをトレーに載置して防磁気ケースから引き出した状態の斜視図、図４は携帯電話に設けられた防磁気ケースとこの防磁気ケース内に収納される非接触式ＩＣカードを載置したトレーとを示し、（ａ）は防磁気ケース内にトレーが収納された状態の要部の縦断面図、（ｂ）は防磁気ケースからトレーが突出されている状態の要部の縦断面図、図５は携帯電話に設けられた防磁気ケース内に非接触式ＩＣカードが載置されたトレーを収納した状態の斜視図である。
【００１８】
この第２実施形態のＩＣカードを収納可能な携帯機器は、図３に示すように、携帯電話１の機器本体１ａの表面に防磁気ケース２が設けられ、この防磁気ケース２内にトレー３が出し入れ可能に収納され、このトレー３には通勤定期等の非接触式ＩＣカードＨが載置されている。更に、防磁気ケース２内には、トレー３を外部に向けて付勢するばね４（図１参照）が奥側に配置されている。また、図４（ａ）（ｂ）に示すように、トレー３には係止孔３ｂが形成され、機器本体１ａにおける防磁気ケース２の近傍に孔部１ｂが形成され、機器本体１ａの側部の内側に受け片１ｃが内側に向けて突出形成されている。更に、機器本体１ａ内に、トレー３の係止孔３ｂに係入可能な係止片７ａを有すると共に機器本体１ａの孔部１ｂから外側に突出する押しボタン７ｂを有する略Ｕ字形の操作部材７が配置されている。この操作部材７と機器本体１ａの受け片１ｃとの間に操作部材７を防磁気ケース２側に向けて付勢するスプリング８が配置されている。
【００１９】
図４（ａ）、図５に示すように、トレー３が防磁気ケース２内に収納されているときに、スプリング８の付勢力によって操作部材７の係止片７ａがトレー３の係止孔３ｂに係入されてトレー３が防磁気ケース２内に収納された状態が保持される。操作部材７の押しボタン７ｂを押すと、図４（ｂ）に示すように、操作部材７がスプリング８の付勢力に抗して受け片１ｃ側に移動して、操作部材７の係止片７ａがトレー３の係止孔３ｂから離脱し、図３に示すように、トレー３がばね４の付勢力によって防磁気ケース２より外側に突出される。この状態でトレー３に載置されている非接触式ＩＣカードＨを取り出して使用できる。
【００２０】
従って、この第２実施形態によれば、非接触式ＩＣカードＨが載置されたトレー３を防磁気ケース２内に収納する状態を保持する構造として、トレー３の係止孔３ｂとこの係止孔３ｂにスプリング８の付勢力で係入される操作部材７の係止片７ａとで構成したから、構造が簡単であり、しかも防磁気ケース２からトレー３が不用意に外側に突出することを防ぐことができる。また、操作部材７の押しボタン７ｂを押すだけで、トレー３の係止孔３ｂから操作部材８の係止片７ａを離脱してトレー３を外側に突出させることができ、トレー３に載置された非接触式ＩＣカードＨを取り出して使用できるから、その操作を簡単に行うことができる。
【図面の簡単な説明】
【００２１】
【図１】本発明の第１実施形態のＩＣカードを収納可能な携帯機器としての携帯電話を示し、（ａ）はその非接触式ＩＣカードをトレーに載置して防磁気ケースから引き出した状態の斜視図、（ｂ）はそのトレーが防磁気ケース内に収納されている状態の要部の内部構造を示す横断面図、（ｃ）はそのトレーが防磁気ケースから外部に突出される状態の要部の内部構造を示す横断面図である。
【図２】携帯電話に設けられた防磁気ケース内に非接触式ＩＣカードが載置されたトレーを収納した状態の斜視図である。
【図３】第２実施形態のＩＣカードを収納可能な携帯機器としての携帯電話を示し、非接触式ＩＣカードをトレーに載置して防磁気ケースから引き出した状態の斜視図である。
【図４】携帯電話に設けられた防磁気ケースとこの防磁気ケース内に収納される非接触式ＩＣカードを載置したトレーとを示し、（ａ）は防磁気ケース内にトレーが収納された状態の要部の縦断面図、（ｂ）は防磁気ケースからトレーが突出されている状態の要部の縦断面図である。
【図５】携帯電話に設けられた防磁気ケース内に非接触式ＩＣカードが載置されたトレーを収納した状態の斜視図である。
【図６】従来の直線スライド式携帯端末の伸長状態を示す正面斜視図である。
【図７】従来の直線スライド式携帯端末の伸長状態を示す背面斜視図である。
【符号の説明】
【００２２】
Ｈ        非接触式ＩＣカード
１        携帯電話
１ａ      機器本体
１ｂ      孔部
１ｃ      受け片
２        防磁気ケース
２ａ      孔部
３        トレー
３ａ      係止用溝
３ｂ      係止孔
４        ばね
５        操作部材
５ａ      押しボタン
５ｂ      係止片
５ｃ      弾性片
６        ピン
７        操作部材
７ａ      係止片
７ｂ      押しボタン
８        スプリング
【図１】
2008177926.tif 000003
【図２】
2008177926.tif 000004
【図３】
2008177926.tif 000005
【図４】
2008177926.tif 000006
【図５】
2008177926.tif 000007
【図６】
2008177926.tif 000008
【図７】
2008177926.tif 000009